(57)【特許請求の範囲】
【請求項１】
エレベータ利用者に関する情報を読み取る読取手段からエレベータ利用者の認証情報、当該読取手段が利用された読取時刻に関する読取時刻情報を取得する認証情報取得部と、
前記読取時刻情報が前記エレベータ利用者の認証情報と対応するエレベータを利用する時間帯である乗車スケジュールの範囲内の場合は正規利用と判断し、前記読取時刻情報が前記乗車スケジュールの範囲外の場合は非正規利用と判断する利用者判断部と、
前記利用者判断部が正規利用と判断した場合は前記認証情報に基づいて行先階登録を行い、前記利用者判断部が非正規利用と判断した場合は非正規利用者を運行する特定階に関する特定階情報に基づいて行先階登録を行う運転割当部と、を備え、
前記行先階登録に基づいてエレベータの運行制御を行うエレベータ制御装置。
【請求項２】
前記乗車スケジュールを予め記憶する記憶部を更に備える請求項１に記載のエレベータ制御装置。
【請求項３】
前記読取手段で読み取った前記エレベータ利用者の前記認証情報と前記読取時刻情報に基づいて前記乗車スケジュールを更新する乗車スケジュール処理部を更に備える請求項１または２に記載のエレベータ制御装置。
【請求項４】
前記乗車スケジュール処理部は、前記読取時刻情報から前記エレベータ利用者が前記エレベータを利用する時間帯を設定することで前記乗車スケジュールを更新する請求項３に記載のエレベータ制御装置。
【請求項５】
前記乗車スケジュール処理部は、前記読取時刻情報と対応する利用回数が所定のしきい値を超える前記読取時刻情報から前記乗車スケジュールを設定する請求項４に記載のエレベータ制御装置。
【請求項６】
前記利用者判断部が前記非正規利用と判断した場合に前記非正規利用者が前記特定階への前記行先階登録されたかごに乗車し、当該かごが全戸閉するまでの間は、前記エレベータ制御装置は他のエレベータ利用者に対して当該かご以外のかごを割り当てる請求項１から請求項５の何れか１項に記載のエレベータ制御装置。
【請求項７】
前記利用者判断部が前記非正規利用と判断した場合に前記エレベータ利用者から受ける解除情報に基づいて前記非正規利用による前記行先階登録を解除するか否かを判断する解除情報判断部を更に備え、
前記非正規利用による前記行先階登録を解除すると判断すると前記非正規利用による前記行先階登録を解除し前記正規利用による前記行先階登録を行う請求項１から請求項６の何れか１項に記載のエレベータ制御装置。
【請求項８】
請求項１から７の何れか１項に記載のエレベータ制御装置と、
自らエレベータと通信することで前記エレベータを利用して移動する自律移動体とを備え、
前記利用者判断部が前記非正規利用と判断した場合に前記エレベータ制御装置は、前記非正規利用による前記行先階登録がされたことを前記自律移動体に通知し、
前記自律移動体は、前記通知を受けると前記非正規利用者を前記非正規利用者が乗車するかごまで案内する案内動作を行うエレベータシステム。
【請求項９】
前記自律移動体が前記案内動作をする場合、前記自律移動体が前記エレベータ利用者から受ける解除情報に基づいて前記非正規利用による前記行先階登録を解除するか否かを判断し、解除すると判断すると前記エレベータ制御装置に前記非正規利用による前記行先階登録を解除すること示す解除通知を行い、
前記エレベータ制御装置は、前記解除通知を受けると前記非正規利用による前記行先階登録を解除し、前記正規利用による前記行先階登録を行う請求項８に記載のエレベータシステム。
【発明の詳細な説明】
【技術分野】
【０００１】
本開示は、エレベータ制御装置およびエレベータシステムに関する。
【背景技術】
【０００２】
従来、エレベータのセキュリティシステムとして無線カードやＩＣタグ等の認証媒体を利用したエレベータシステムが知られている。このようなエレベータシステムでは、ビル内の所定の場所において認証媒体の情報を読み取ることにより、その認証媒体を持つ利用者を認証してエレベータの運行を制御する。利用者は、認証媒体に登録されている情報に基づいてエレベータを利用することで目的の行先階への移動を行うことができる。このようなエレベータシステムとして、例えば特許文献１のエレベータシステムが知られている。
【先行技術文献】
【特許文献】
【０００３】
【特許文献１】特開２００５−９６９４５号公報
【発明の概要】
【発明が解決しようとする課題】
【０００４】
特許文献１のエレベータシステムにおいては、利用者が認証媒体を紛失などした際にその認証媒体のＩＤを、認証拒否すべき認証媒体として登録するようにし、他人が当該認証媒体を不正利用してセキュリティエリア内に侵入することを防止するようにしている。
【０００５】
しかしながら、上記のエレベータシステムにおいては、利用者が認証媒体を紛失し、その認証媒体を認証拒否すべき認証媒体として登録する前に当該認証媒体を取得した他人がエレベータを利用したことを検出することができない。したがって、当該他人が認証媒体を利用してセキュリティエリア内に侵入する可能性がある。
【０００６】
本開示は、上述の課題を解決するためになされたもので、認証媒体を利用するエレベータシステムにおいて、エレベータ利用者が認証媒体を紛失などした際に、その認証媒体を認証拒否すべき認証媒体として登録する前に他人によるその認証媒体を用いたエレベータの非正規利用を検出し、非正規利用のエレベータ運行をすることでセキュリティエリア内に侵入することを抑制することができるエレベータ制御装置を提供することを目的とする。
【課題を解決するための手段】
【０００７】
本開示に係るエレベータ制御装置は、エレベータ利用者に関する情報を読み取る読取手段からエレベータ利用者の認証情報と当該読取手段が利用された読取時刻に関する読取時刻情報を取得する認証情報取得部と、読取時刻情報がエレベータ利用者の認証情報と対応するエレベータを利用する時間帯である乗車スケジュールの範囲内の場合は正規利用と判断し、読取時刻情報が乗車スケジュールの範囲外の場合は非正規利用と判断する利用者判断部と、利用者判断部が正規利用と判断した場合は認証情報に基づいて行先階登録を行い、利用者判断部が非正規利用と判断した場合は非正規利用者を運行する特定階に関する特定階情報に基づいて行先階登録を行う運転割当部と、を備え、行先階登録に基づいてエレベータの運行制御を行うエレベータ制御装置である。
【発明の効果】
【０００８】
本開示に係るエレベータ制御装置によれば、エレベータ利用者が認証媒体を紛失などした際に、その認証媒体を認証拒否すべき認証媒体として登録する前に他人によるその認証媒体を用いたエレベータの非正規利用を検出し、非正規利用のエレベータ運行をすることでセキュリティエリア内に侵入することを抑制することができる。
【図面の簡単な説明】
【０００９】
【図１】実施の形態１に係るエレベータシステムのブロック図である。
【図２】実施の形態１に係るエレベータシステムの変形例のブロック図である。
【図３】実施の形態１に係るエレベータ制御装置の動作を示すフローチャートである。
【図４】実施の形態２に係るエレベータシステムのブロック図である。
【図５】実施の形態２に係るエレベータ制御装置の動作を示すフローチャートである。
【図６】実施の形態２の変形例１に係るエレベータ制御装置の動作を示すフローチャートである。
【図７】エレベータ利用者毎の利用状況を示す図である。
【図８】エレベータ利用者の読取時刻と利用回数の関係を示す図である。
【図９】実施の形態３に係るエレベータシステムのブロック図である。
【図１０】実施の形態３に係るエレベータ制御装置の動作を示すフローチャートである。
【図１１】実施の形態４に係るエレベータシステムのブロック図である。
【図１２】実施の形態４に係るエレベータシステムの動作を示すフローチャートである。
【図１３】実施の形態１におけるエレベータ制御装置の処理回路の構成例を示す図である。
【発明を実施するための形態】
【００１０】
以下に、本開示の実施の形態について添付の図面を用いて説明する。各図では、同一又は相当する部分に同一の符号を付している。重複する説明は、適宜簡略化あるいは省略する。なお、以下に説明される実施の形態により本開示が限定されるものではない。
【００１１】
実施の形態１．
実施の形態１に係るエレベータ制御装置２についてエレベータシステム１００に基づいて以下図１および図２を用いて説明する。
【００１２】
図１は、実施の形態１のエレベータシステム１００の構成を示すブロック図である。エレベータシステム１００は、読取手段１と、エレベータ制御装置２と、エレベータ３を備える。
【００１３】
読取手段１は、エレベータ利用者が所持する携帯情報端末に記憶されている認証情報を読み取る手段である。読取手段１は、例えば建物においてエレベータ乗場へ続く通路に設置されるセキュリティゲートに搭載される読取装置や、ＩＣカードリーダなどである。読取手段１は、エレベータ利用者の携帯情報端末から認証情報を読み取ると読取時刻に関する読取時刻情報と認証情報をエレベータ制御装置２へ送信する。
【００１４】
認証情報には、エレベータ利用者の識別情報、行先階情報、エレベータ利用者の属性情報などが含まれる。識別情報は、例えば識別番号や氏名、所属等の個人情報である。また、属性情報は、例えば一般利用者、身障者、ＶＩＰ利用者などの利用者の属性に関する情報である。なお、認証情報に含める情報については任意に定めることができる。
【００１５】
本開示のエレベータシステム１００において、エレベータ利用者は、自らのエレベータ利用に関する認証情報を記憶している携帯情報端末を所持していることを前提とする。携帯情報端末とは、例えばＩＣタグを備えたＩＣカードやスマートフォン等の携帯端末である。
【００１６】
エレベータシステム１００においてエレベータ制御装置２は、各エレベータ３を制御する。また、エレベータ制御装置２は、読取装置と、行先階登録をしたかごに関する情報を表示する表示装置とを備えるセキュリティゲートと組み合わせて用いることができる。なお、図１ではエレベータ３が２台であるエレベータシステム１００が示されているがエレベータの台数はこれに限られず、以下説明する他の実施の形態でも同様である。
【００１７】
エレベータ制御装置２は、認証情報取得部４と、記憶部５と、利用者判断部６と、運転割当部７とを備える。
【００１８】
認証情報取得部４は、読取手段１から送信される読取時刻情報、認証情報を受信する。認証情報取得部４は、認証情報を解析し、識別情報、行先階情報等を取得する。
【００１９】
記憶部５は、エレベータ利用者毎の乗車スケジュールを予め記憶している。乗車スケジュールは、例えばエレベータ利用者がエレベータ３を利用する時間帯である。乗車スケジュールは、エレベータ利用者毎の認証情報に含まれる識別情報と対応する情報である。なお、記憶部５は、ＨＤＤ等の記憶装置を用いることができ、エレベータ制御装置２に外部から接続して用いる記憶装置であってもよい。
【００２０】
例えば、セキュリティゲート等において認証することと組み合わせて用いられるエレベータシステムを備えるオフィスビルにおいて、乗車スケジュールはエレベータ利用者固有の時間帯となる。すなわち、あるオフィスに出入りする人が出社する時間帯や退社する時間帯が乗車スケジュールに相当する。また、昼食時にエレベータを利用する時間帯等、エレベータ利用者固有の時間帯を乗車スケジュールに含めてもよい。このように乗車スケジュールは、所定の開始時刻から終了時刻までという１つの時間帯に限られず、エレベータ利用者の利用時間帯に合わせたエレベータ利用者固有の時間帯である。
【００２１】
後ほど詳しく説明するが乗車スケジュールは、エレベータ利用者の利用状況に応じて更新することができる。
【００２２】
利用者判断部６は、認証情報取得部４から送信される読取時刻情報、識別情報、行先階情報等を受信する。利用者判断部６は、識別情報と対応する乗車スケジュールを記憶部５から取得する。利用者判断部６は、乗車スケジュールに基づいてエレベータ利用者によるエレベータ３の利用が正規利用であるか非正規利用であるかを判断する。利用者判断部６は、読取時刻情報が乗車スケジュールの範囲内の場合は正規利用であると判断する。乗車スケジュールの範囲内とは、乗車スケジュールである利用時間帯の範囲内ということである。読取時刻情報が利用時間帯に含まれるのであれば正規利用と判断する。なお、乗車スケジュールの範囲内であるとは、利用時間帯の境界である開始時刻と終了時刻も含む。
【００２３】
また、乗車スケジュールには、決められた利用時間帯以外の時間帯を追加で設定できるようにしてもよい。例えば乗車スケジュールが８時００分から９時００分である場合に、あるエレベータ利用者が特定の利用日において１２時００分から１３時００分の間に利用予定がある場合は１２時００分から１３時００分の時間帯も乗車スケジュールとして設定してもよい。
【００２４】
利用者判断部６は、読取時刻情報が乗車スケジュールの範囲外の場合はエレベータの非正規利用であると判断する。なお、乗車スケジュールの範囲外であるとは、利用時間帯の開始時刻と終了時刻である境界を含まない。したがって、利用者判断部６は、乗車スケジュールに基づいてエレベータの非正規利用を検出することができる。
【００２５】
利用者判断部６は、エレベータ３の利用者の判断を行うと、当該判断に関する判断情報と行先階情報等を運転割当部７に送信する。
【００２６】
運転割当部７は、利用者判断部６から判断情報、行先階情報等を受信すると、判断情報に基づいてかごの割り当てを行う。具体的には、運転割当部７は、利用者判断部６が正規利用と判断した場合は行先階情報に基づいてかごを割り当て、行先階登録を行う。このように運転割当部７は、認証情報に基づいて行先階登録を行う。なお、正規利用と判断した場合の行先階情報については、利用者の行先階入力によってエレベータ制御装置２が受け付けるようにしてもよい。また、運転割当部７は、利用者判断部６が非正規利用と判断した場合は特定階情報に基づいてかごを割り当て、行先階登録を行う。ここで特定階とは、当該階床のエリア内へ進入するためにセキュリティ解除の認証が不要である階床のことをいい、例えば警備員が配置される保安室が存在する階などである。また、特定階情報については運転割当部７が利用者判断部６から受信するようにしてもよいし、運転割当部７が予め備えていてもよい。
【００２７】
エレベータ制御装置２は、運転割当部７が割り当てたかごに対する行先階登録に基づいてエレベータの運行制御を行う。このようにしてエレベータ制御装置２は、エレベータ３をエレベータ利用者が目的とする行先階、または特定階への運行を行う。すなわち、エレベータ制御装置２は、非正規利用のエレベータの運行を制御するといえる。なお、特定階への運行は、乗車階から特定階まで直行運転による運行を行う。これにより非正規利用者が特定階以外の階床で降車することを抑制することができる。
【００２８】
したがって、エレベータ制御装置２は、エレベータ利用者が認証媒体を紛失などした際に、その認証媒体を認証拒否すべき認証媒体として登録する前に他人によるその認証媒体を用いたエレベータの非正規利用を検出し、非正規利用のエレベータ運行をすることができる。
【００２９】
また、運転割当部７は、特定階へ運行するかごを割り当てた場合、他の利用者に対して当該かごを割り当てないようにしてもよい。そうすることで他の利用者が非正規利用者と同じかごに同乗することを防ぐことができる。
【００３０】
続いて、実施の形態１のエレベータ制御装置２の動作について図３を用いて説明する。
【００３１】
図３は、実施の形態１に係るエレベータ制御装置２の動作を示すフローチャートである。まず、読取手段１によってエレベータ利用者の携帯情報端末から認証情報が読み取られる。エレベータ制御装置２は、読み取られた認証情報を受信する（ＳＴ１０１）。ここでは、エレベータ制御装置２は、認証情報と併せて認証情報が読み取られた読取時刻情報を受信する。エレベータ制御装置２が受信した認証情報と読取時刻情報は認証情報取得部４に送信される。
【００３２】
認証情報取得部４は、認証情報を解析し、識別情報と行先階情報を取得し、読取時刻情報とともに利用者判断部６に送信する（ＳＴ１０２）。
【００３３】
利用者判断部６は、認証情報取得部４から受信した識別情報に基づいて記憶部から乗車スケジュールを取得する。利用者判断部６は、読取時刻情報が乗車スケジュール範囲内か否かを判断する（ＳＴ１０３）。
【００３４】
読取時刻情報が乗車スケジュール範囲内の場合は、利用者判断部６は判断情報と行先階情報を運転割当部７に送信する（ＳＴ１０３のＹＥＳ）。
【００３５】
読取時刻情報が乗車スケジュール範囲外の場合は、利用者判断部６は判断情報と特定階情報を運転割当部７に送信する（ＳＴ１０３のＮＯ）。
【００３６】
運転割当部７は、利用者判断部６から判断情報と行先階情報を受信すると正規利用の行先階登録を行う（ＳＴ１０４）。具体的には運転割当部７は判断情報と行先階情報に基づいてかごを割り当て、行先階登録を行う。
【００３７】
エレベータ制御装置２は、運転割当部７が行った正規利用の行先階登録に基づいてエレベータの運行制御を行う（ＳＴ１０５）。エレベータ３が行先階登録した階床へ到着すると一連の動作が完了する。
【００３８】
また、運転割当部７は、利用者判断部６から判断情報と特定階情報を受信すると非正規利用の行先階登録を行う（ＳＴ１０６）。具体的には運転割当部７は判断情報と特定階情報に基づいてかごを割り当て、行先階登録を行う。
【００３９】
エレベータ制御装置２は、運転割当部７が行った非正規利用の行先階登録に基づいてエレベータ３の運行制御を行う（ＳＴ１０５）。エレベータ３が行先階登録した特定階へ到着すると一連の動作が完了する。
【００４０】
以上説明した通り、実施の形態１に係るエレベータ制御装置２は、エレベータ利用者に関する情報を読み取る読取手段１からエレベータ利用者の認証情報と当該読取手段が利用された読取時刻に関する読取時刻情報を取得する認証情報取得部４と、読取時刻情報がエレベータ利用者の乗車スケジュールの範囲内の場合は正規利用と判断し、読取時刻情報が乗車スケジュールの範囲外の場合は非正規利用と判断する利用者判断部６と、利用者判断部６が正規利用と判断した場合は認証情報に基づいて行先階登録を行い、利用者判断部６が非正規利用と判断した場合は非正規利用者を運行する特定階に関する特定階情報に基づいて行先階登録を行う運転割当部７と、を備え、行先階登録に基づいてエレベータの運行制御を行うエレベータ制御装置２である。
【００４１】
このような構成によれば、エレベータ制御装置２は、エレベータ利用者が認証媒体を紛失などした際に、その認証媒体を認証拒否すべき認証媒体として登録する前に他人によるその認証媒体を用いたエレベータの非正規利用を検出し、非正規利用のエレベータ運行をすることができる。
【００４２】
また、エレベータ制御装置２は、運転割当部７が、特定階へ運行するかごを割り当てた場合、他の利用者に対して当該かごを割り当てないようにしてもよい。
【００４３】
このような構成によれば、他の利用者が非正規利用者と同じかごに同乗することを防ぐことができる。
【００４４】
また、実施の形態１に係るエレベータ制御装置２の変形例として運転割当部７として正規利用運転割当部８と非正規利用運転割当部９を備えるようにしてもよい。図２に実施の形態１に係るエレベータ制御装置２の変形例のブロック図を示す。
【００４５】
正規利用運転割当部８は、利用者判断部６が正規利用と判断した判断情報と行先階情報等を受信する。正規利用運転割当部８は、行先階情報に基づいてかごの割り当て、行先階登録を行う。
【００４６】
また、非正規利用運転割当部９は、利用者判断部６が非正規利用と判断した判断情報と特定階情報等を受信する。非正規利用運転割当部９は、特定階情報に基づいてかごの割り当て、行先階登録を行う。また、非正規利用運転割当部９は、かごの割り当て機能を有効とするか無効とするかを切り替えることができるようにしている。
【００４７】
以上のように、実施の形態１の変形例に係るエレベータ制御装置２は、容易に非正規利用運転割当部９がかごの割り当て機能を有効とするか無効とするかを切り替えることができる。非正規利用運転割当部９がかごの割り当て機能を無効とすると、エレベータ制御装置２は非正規利用に対してかごの割り当てを行わない。
【００４８】
実施の形態２．
続いて実施の形態２に係るエレベータ制御装置２についてエレベータシステム１００に基づいて説明する。図４は、実施の形態２に係るエレベータシステム１００の構成を示すブロック図である。以下の説明では、実施の形態１とは異なる構成について主に説明し、実施の形態１と同様である構成については適宜説明を省略することがある。実施の形態２に係るエレベータシステム１００は、実施の形態１のエレベータシステム１００と比較して、エレベータ制御装置２が乗車スケジュール処理部１０を備える点で異なる。
【００４９】
エレベータ制御装置２は、認証情報取得部４と、記憶部５と、利用者判断部６と、運転割当部７と、乗車スケジュール処理部１０とを備える。
【００５０】
乗車スケジュール処理部１０は、読取時刻情報と、認証情報取得部４が認証情報を解析して取得した識別情報、行先階情報と、を受信する。乗車スケジュール処理部１０は、識別情報と対応する乗車スケジュールを読取時刻情報に基づいて更新する。乗車スケジュール処理部１０は、識別情報と対応する乗車スケジュールと新たに読み取られた読取時刻情報からエレベータ利用者がエレベータを利用する時間帯を設定し乗車スケジュールを更新する。乗車スケジュールの更新は、記憶部５に記憶されている乗車スケジュールを乗車スケジュール処理部１０により更新することで行われる。
【００５１】
利用者判断部６は、認証情報取得部４から送信される読取時刻情報、識別情報、行先階情報等を受信する。利用者判断部６は、識別情報と対応する乗車スケジュールを記憶部５から取得する。利用者判断部６が取得する乗車スケジュールは、乗車スケジュール処理部１０により更新された乗車スケジュールである。利用者判断部６は、当該乗車スケジュールに基づいてエレベータ利用者によるエレベータ３の利用が正規利用であるか非正規利用であるかを判断する。
【００５２】
運転割当部７は、利用者判断部６が正規利用と判断した場合は行先階情報に基づいてかごを割り当て、行先階登録を行う。また、運転割当部７は、利用者判断部６が非正規利用と判断した場合は特定階情報に基づいてかごを割り当て、行先階登録を行う。エレベータ制御装置２は、運転割当部７が割り当てたかごに対する行先階登録に基づいてエレベータ３の運行制御を行う。
【００５３】
以上のように、エレベータ制御装置２は、乗車スケジュール処理部１０が乗車スケジュールを更新し、更新した乗車スケジュールに基づいてエレベータ３の運行制御を行う。これによりエレベータ利用者の利用状況に則した乗車スケジュールを用いてエレベータ３の運行制御を行うことができる。
【００５４】
続いて、実施の形態２のエレベータ制御装置２の動作について図５を用いて説明する。
【００５５】
図５は、実施の形態２のエレベータ制御装置２の動作を示すフローチャートである。なお、実施の形態１と同様の動作については説明を省略する。これは以下の実施の形態においても同様である。
【００５６】
続いて、認証情報取得部４は、識別情報、行先階情報、読取時刻情報を乗車スケジュール処理部１０に送信する（ＳＴ２０１）。乗車スケジュール処理部１０は、各情報を受信すると、識別情報と対応する乗車スケジュールを読取時刻情報に基づいて更新する（ＳＴ２０２）。なお、ＳＴ２０１、ＳＴ２０２の各動作については、ＳＴ１０１とＳＴ１０２の動作の間において行ってもよい。
【００５７】
以上説明した通り、実施の形態２に係るエレベータ制御装置２は、乗車スケジュール処理部１０を更に備え、乗車スケジュール処理部１０は、読取手段１で読み取ったエレベータ利用者の認証情報と読取時刻に基づいて乗車スケジュールを更新するエレベータ制御装置２である。
【００５８】
このような構成によれば、エレベータ制御装置２は、エレベータ利用者の利用状況に則した乗車スケジュールを用いてエレベータ３の運行制御を行うことができる。
【００５９】
また、実施の形態２の変形例１として、エレベータ制御装置２は、エレベータ利用者の利用状況を一定期間取得して乗車スケジュールを更新することでエレベータ３の運行制御を行うこともできる。以下具体的に説明する。なお、実施の形態２の変形例１のエレベータシステム１００の構成は図４の構成と同様である。
【００６０】
乗車スケジュール処理部１０は、乗車スケジュールをエレベータ利用者の利用状況に則したものとするため、利用状況を取得する利用状況取得期間を例えば３か月間と設定する。乗車スケジュール処理部１０は、読取時刻情報と、認証情報取得部４が認証情報を解析して取得した識別情報、行先階情報と、を受信する。乗車スケジュール処理部１０は、利用状況取得期間を経過しているか否かを判断し、当該期間を経過していない場合は、識別情報と対応する乗車スケジュールを読取時刻情報に基づいて更新するために利用状況を取得する。更新する乗車スケジュールは、例えば取得した利用状況から読取時刻の最も早い時刻から最も遅い時刻までの間の時間帯を乗車スケジュールとして作成する。
【００６１】
乗車スケジュール処理部１０は、エレベータ利用者の利用が利用状況取得期間を経過すると、当該期間において取得した利用状況から作成したスケジュールを乗車スケジュールとして更新する。エレベータ制御装置２は、更新された乗車スケジュールに基づいてエレベータ３の運行制御を行う。
【００６２】
以上のように、エレベータ制御装置２は、乗車スケジュール処理部１０が利用状況を一定期間取得して乗車スケジュールを設定しエレベータ３の運行制御を行う。これによりエレベータ利用者の利用状況をより正確に表した乗車スケジュールを用いてエレベータ３の運行制御を行うことができる。
【００６３】
続いて、実施の形態２の変形例１のエレベータ制御装置２の動作について図６を用いて説明する。図６は、実施の形態２の変形例１のエレベータ制御装置２の動作を示すフローチャートである。
【００６４】
実施の形態２の変形例１のエレベータ制御装置２の動作は、利用状況取得期間を経過しているか否かを判断し、当該判断結果によって乗車スケジュールを更新する点で実施の形態２の動作と異なる。
【００６５】
乗車スケジュール処理部１０は、利用状況取得期間を経過しているか否かを判断する（ＳＴ２１１）。ここで、利用状況取得期間を経過している場合は次のＳＴ１０３へ進む（ＳＴ２１１のＹＥＳ）。一方、利用状況取得期間を経過していない場合は（ＳＴ２１１のＮＯ）、乗車スケジュール処理部１０は識別情報と対応する乗車スケジュールを読取時刻情報に基づいて更新する（ＳＴ２０２）。その後ＳＴ１０３へ進む。
【００６６】
また、実施の形態２の変形例２として、エレベータ制御装置２は、乗車スケジュール処理部１０が取得したエレベータ利用者の利用状況に基づいて乗車スケジュールを算出し、乗車スケジュールとして設定することでエレベータ３の運行制御を行うこともできる。以下具体的に説明する。
【００６７】
図７は、実施の形態２の変形例２におけるエレベータ利用者毎の利用状況である読取時刻と利用回数を示す図である。
【００６８】
図７には、識別情報として識別番号が０００１、０００２、１０００、２０００を割り当てられているエレベータ利用者の利用状況が示されている。各エレベータ利用者の利用状況として読取時刻と利用回数が示されている。例えば識別番号が０００１であるエレベータ利用者は、読取時刻が７時３０分から９時３０分までの時間帯における利用回数が登録されている。なお、読取時刻は５分毎に区分されて示されている。例えば読取時刻が８時００分の場合は利用回数が１２回となっている。ここで、読取時刻が８時００分であるとは、８時００分００秒から８時０４分５９秒の間に読み取りが行われたものが含まれている。
【００６９】
図７には、例えばＩＣカード等の携帯情報端末がエレベータ利用者に配布されてからエレベータ３の利用に際して読み取りが行われた情報が記載されている。このように乗車スケジュール処理部１０は、識別番号とともに読取時刻と利用回数を記憶部５に記憶する。
【００７０】
続いてエレベータの利用状況から乗車スケジュールを算出する方法について説明する。図８は、識別番号が０００１であるエレベータ利用者の読取時刻と利用回数を示している。ここで図８のように利用回数にしきい値となる回数を設定し、当該しきい値を超える利用回数となった時間帯を算出し、当該時間帯を乗車スケジュールと設定する。図８において波線で示すように、しきい値を１０回と設定しており、この場合の乗車スケジュールは図８において両矢印で示される時間帯に対応する。すなわち、エレベータ制御装置２は、読取時刻情報と対応する利用回数が所定のしきい値を超える読取時刻情報から乗車スケジュールを設定する。
【００７１】
この乗車スケジュールを用いてエレベータ制御装置２はエレベータ３の運行制御を行うようにしている。
【００７２】
以上のように、エレベータ制御装置２は、エレベータ利用者の利用回数にしきい値を設定し乗車スケジュールを算出するようにしているので、正規利用か非正規利用かの判断条件を容易に調整することができる。
【００７３】
実施の形態３．
続いて実施の形態３に係るエレベータ制御装置２についてエレベータシステム１００に基づいて説明する。図９は、実施の形態３に係るエレベータシステム１００の構成を示すブロック図である。以下の説明では、他の実施の形態とは異なる構成について主に説明し、他の実施の形態と同様である構成については適宜説明を省略することがある。実施の形態３に係るエレベータシステム１００は、他の実施の形態のエレベータシステム１００と比較して、解除情報判断部１１を備える点で異なる。
【００７４】
既に説明した通り、エレベータ制御装置２は利用者判断部６が乗車スケジュールに基づいてエレベータ３の利用が正規利用であるか非正規利用であるかを判断する。例えば正規のエレベータ利用者が乗車スケジュールの範囲外でエレベータ３を利用するとエレベータ制御装置２は当該利用を非正規利用であると判断することとなる。実施の形態３のエレベータ制御装置２は、正規のエレベータ利用者が非正規利用であると判断された場合に当該非正規利用を解除することができる機能を備えるものである。
【００７５】
エレベータ制御装置２は、解除情報判断部１１を備えている。解除情報判断部１１は、エレベータ利用者から解除情報を受け付け、当該解除情報に基づいて非正規利用による行先階登録を解除するか否かを判断する。解除情報判断部１１は、エレベータ利用者から解除情報をセキュリティゲートに設けられた認証装置の他、エレベータホール付近に設けられるタッチパネル等の各種入力装置等の入力手段を通じて受け付けることができる。また、解除情報については、エレベータ利用者毎に設定されたエレベータ利用者の生年月日情報や暗証番号情報の他、指紋情報や顔情報等の生体認証に用いる情報を用いることができる。
【００７６】
解除情報判断部１１は、解除情報を受け付けるとエレベータ利用者の識別情報と対応する解除登録情報と一致するかどうか判断する。解除情報と解除登録情報とが一致する場合は、解除情報判断部１１は非正規利用による行先階登録を解除すると判断する。解除情報判断部１１は、当該判断を運転割当部７に通知し、運転割当部７は通知を受けると非正規利用による行先階登録を解除し、正規利用による行先階登録を行う。
【００７７】
解除情報と解除登録情報とが一致しない場合または解除情報が一定時間入力されない場合は、解除情報判断部１１は非正規利用による行先階登録を解除しない。その後エレベータ制御装置２は、非正規利用による行先階登録に基づいてエレベータの運行制御を行う。
【００７８】
以上のように、エレベータ制御装置２は、正規のエレベータ利用者が乗車スケジュールの範囲外で利用することで非正規利用による行先階登録が行われた場合に、解除情報に基づいて非正規利用による行先階登録を解除し、正規利用の行先階登録をするようにしているので、正規のエレベータ利用者の利便性を損なうことがない。
【００７９】
続いて、実施の形態３のエレベータ制御装置２の動作について図１０を用いて説明する。図１０は、実施の形態３のエレベータ制御装置２の動作を示すフローチャートである。
【００８０】
非正規利用の行先階登録がされ（ＳＴ１０６）、その後エレベータ制御装置２は入力手段から解除情報を受信する（ＳＴ３０１）。続いて、解除情報判断部１１は、解除情報が解除登録情報と一致するかどうかを判断する（ＳＴ３０２）。
【００８１】
解除情報が解除登録情報と一致する場合（ＳＴ３０２のＹＥＳ）、運転割当部７は非正規利用の行先階登録を解除し（ＳＴ３０３）、正規利用の行先階登録をする（ＳＴ３０４）。
【００８２】
一方、解除情報が解除登録情報と一致しない場合（ＳＴ３０２のＮＯ）、エレベータ制御装置２は、非正規利用の行先階登録に基づいてエレベータの運行制御を行う（ＳＴ１０５）。
【００８３】
以上のように、エレベータ制御装置２は、正規のエレベータ利用者が乗車スケジュールの範囲外で利用することで非正規利用による行先階登録が行われた場合に、解除情報に基づいて非正規利用による行先階登録を解除し、正規利用の行先階登録をするようにしているので、正規のエレベータ利用者の利便性を損なうことがない。
【００８４】
実施の形態４．
続いて実施の形態４に係るエレベータ制御装置２についてエレベータシステム１００に基づいて説明する。図１１は、実施の形態４３に係るエレベータシステム１００の構成を示すブロック図である。以下の説明では、他の実施の形態とは異なる構成について主に説明し、他の実施の形態と同様である構成については適宜説明を省略することがある。実施の形態４に係るエレベータシステム１００は、他の実施の形態のエレベータシステム１００と比較して、エレベータ制御装置２と通信して動作することができる自律移動体２０を備える点で異なる。
【００８５】
自律移動体２０は、人が操作せずとも自律移動し得る機械装置である。自律移動体２０は、エレベータ３と連携して動作することができる。また、自律移動体２０は、エレベータ３と通信することができ、エレベータ３と連携して自律的にエレベータ３の呼びを行い、当該呼びに応じたエレベータ３に乗車することができる。例えば、自律移動体２０は、エレベータ利用者を案内する案内ロボットである。
【００８６】
自律移動体２０は、利用者判断部６が非正規利用と判断し、運転割当部７が特定階を行先階とするかごを割り当てた場合に、当該割り当てられたかごにエレベータ利用者を案内する機能を備えている。自律移動体２０と通信するエレベータ制御装置２は、利用者判断部６が非正規利用と判断した場合に、エレベータ利用者の認証情報が読み取られた読取手段１の位置情報を通知する。また、自律移動体２０に非正規利用が行われたことも併せて通知する。例えば読取装置が設けられたセキュリティゲートが複数ある場合の読取手段１の位置情報は、どのセキュリティゲートで読み取りが行われたのかを示すゲート番号などである。
【００８７】
自律移動体２０は、エレベータ利用者を案内するために、位置情報に基づいて読み取りが行われた読取手段１の位置へ向かって自ら移動する。自律移動体２０は、例えばセキュリティゲートと近接するエレベータ乗場で待機しており、位置情報の通知を受けると認証情報の読み取りが行われたセキュリティゲートへ向かって移動する。
【００８８】
自律移動体２０は、位置情報に基づいて移動した後、エレベータ利用者をかごまで案内する。自律移動体２０は、エレベータ利用者に対してかごまで案内するアナウンスを音声によって発することで案内するようにしてもよい。
【００８９】
自律移動体２０は、エレベータ利用者を所定のかごまで案内し、エレベータ利用者が当該かごに乗車し、かごが戸閉しエレベータ３が運転すると案内を終了する。なお、エレベータ制御装置２はかごが戸閉したことを自律移動体２０に通知し、当該通知を受けた自律移動体２０が案内動作を終了するようにしてもよい。その後エレベータ利用者は、エレベータ制御装置２がエレベータ３を運行制御することで特定階まで運ばれる。非正規利用と判断された場合のエレベータ制御装置２の動作については他の実施の形態と同様であるため詳細な説明は省略する。
【００９０】
したがって、エレベータシステム１００は、自律移動体２０がエレベータ制御装置２と連携して非正規利用と判断されたエレベータ利用者を所定のかごまで案内するので、当該利用者を特定階まで確実に導くことができる。
【００９１】
また、エレベータ制御装置２は、非正規利用と判断された後に自律移動体２０がエレベータ利用者を所定のかごまで案内し乗車が完了し、かごが全戸閉してエレベータ３が運転するまでの間は、他のエレベータ利用者に対して当該かごを割り当てないようにしてもよい。すなわち、他のエレベータ利用者に対しては、非正規利用と判断されたエレベータ利用者に割り当てられたかご以外のかごを割り当てるようにする。このようにすることで非正規利用と判断されたエレベータ利用者が他のエレベータ利用者と同乗することを防止することができる。
【００９２】
続いて、実施の形態４のエレベータシステム１００の動作について図１２を用いて説明する。図１２は、実施の形態４のエレベータシステム１００の動作を示すフローチャートである。
【００９３】
非正規利用の行先階登録がされると（ＳＴ１０６）、エレベータ制御装置２は認証情報が読み取られた位置情報を自律移動体２０に通知する（ＳＴ４０１）。続いて、自律移動体２０は位置情報に基づいて認証情報が読み取られた位置まで移動する（ＳＴ４０２）。
【００９４】
自律移動体２０が位置情報に基づいて移動した後、エレベータ利用者を非正規利用の行先階登録がされたかごまで案内する（ＳＴ４０３）。その後エレベータ利用者がかごに乗車し、かごが戸閉すると自律移動体２０は案内動作を終了する（ＳＴ４０４）。
【００９５】
以上のように、エレベータシステム１００は、自律移動体２０が非正規利用と判断されたエレベータ利用者を所定のかごまで案内するので、当該利用者を特定階まで確実に導くことができる。
【００９６】
また、実施の形態４の変形例１として、自律移動体２０は、正規のエレベータ利用者が非正規利用であると判断された場合に当該行先階登録を解除し、正規利用による行先階登録をすることもできる。なお、正規のエレベータ利用者が非正規利用であると判断された場合については実施の形態３と同様である。
【００９７】
自律移動体２０は、非正規利用と判断された場合に位置情報の通知を受けエレベータ利用者の案内動作を開始する。その後、自律移動体２０による案内を受けるエレベータ利用者は、自律移動体２０に対して非正規利用による行先階登録を解除する解除情報を入力する。解除情報の入力を受けた自律移動体２０は解除情報に基づいて非正規利用による行先階登録を解除すると判断すると、エレベータ制御装置２に対して非正規利用による行先階登録を解除することを示す解除通知を行う。当該解除通知を受けたエレベータ制御装置２は、非正規利用による行先階登録を解除し、正規利用による行先階登録を行う。例えば、エレベータ制御装置２は解除通知を受けると運転割当部７が非正規利用による行先階登録を解除し、正規利用による行先階登録を行う。
【００９８】
ここで解除情報は、実施の形態３で説明した解除情報と同様の情報を用いることができる。また、自律移動体２０は入力された解除情報が識別情報と対応する解除登録情報と一致する場合に非正規利用による行先階登録を解除すると判断する。一方、自律移動体２０は、入力された解除情報が解除登録情報と一致しない場合は非正規利用による行先階登録を解除すると判断せず、エレベータ利用者の案内動作を継続する。また、自律移動体２０に対して一定時間解除情報が入力されない場合も非正規利用による行先階登録を解除すると判断しない。なお、案内動作を行う自律移動体２０は、エレベータ利用者に対して解除情報の入力を促すアナウンスを発するようにしてもよい。
【００９９】
以上のように、エレベータシステム１００は、正規のエレベータ利用者が乗車スケジュールの範囲外で利用することで非正規利用による行先階登録が行われた場合に、解除情報に基づいて非正規利用による行先階登録を解除し正規利用の行先階登録をするようにしているので、正規のエレベータ利用者の利便性を損なうことがない。
【０１００】
続いて、図１３を用いて、エレベータ制御装置２の例を説明する。図１３は実施の形態１におけるエレベータ制御装置２の処理回路の構成例を示す図である。なお、エレベータ制御装置２の処理回路の構成例は実施の形態２から４においても同様である。
【０１０１】
エレベータ制御装置２の各機能は、処理回路により実現し得る。例えば、処理回路は、少なくとも１つのプロセッサ３０ａと少なくとも１つのメモリ３０ｂとを備える。また、例えば、処理回路は、少なくとも１つの専用のハードウェア３１を備える。
【０１０２】
処理回路が少なくとも１つのプロセッサ３０ａと少なくとも１つのメモリ３０ｂとを備える場合、エレベータ制御装置２の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ３０ｂに格納される。少なくとも１つのプロセッサ３０ａは、少なくとも１つのメモリ３０ｂに記憶されたプログラムを読み出して実行することにより、エレベータ制御装置２の機能を実現する。少なくとも１つのプロセッサ３０ａは、ＣＰＵ(Central Processing Unit)、中央処理装置、処理装置、演算装置、マイクロプロセッサ、マイクロコンピュータ、ＤＳＰともいう。例えば、少なくとも１つのメモリ３０ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【０１０３】
処理回路が少なくとも１つの専用のハードウェア３１を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、エレベータ制御装置２の各機能は、それぞれ処理回路で実現される。例えば、エレベータ制御装置２の各機能は、まとめて処理回路で実現される。
【０１０４】
エレベータ制御装置２の各機能について、一部を専用のハードウェア３１で実現し、他部をソフトウェアまたはファームウェアで実現してもよい。
【０１０５】
このように、処理回路は、ハードウェア３１、ソフトウェア、ファームウェア、またはこれらの組み合わせでエレベータ制御装置２の各機能を実現する。
【０１０６】
以上、本開示の実施の形態について説明したが、本開示のエレベータ制御装置２、実施の形態１から実施の形態４で説明した形態には限られず、本開示の内容の一部を示すものである。本開示のエレベータ制御装置２、別の公知の技術と組み合わせることも可能であるし、本開示の要旨を逸脱しない範囲で、適宜、組み合わせる等、構成の一部を省略、変更することも可能である。
【符号の説明】
【０１０７】
１  読取手段、２  エレベータ制御装置、３  エレベータ、４  認証情報取得部、５  記憶部、６  利用者判断部、７  運転割当部、８  正規利用運転割当部、９  非正規利用運転割当部、１０  乗車スケジュール処理部、１１  解除情報判断部、２０  自律移動体、３０ａ  プロセッサ、３０ｂ  メモリ、３１  ハードウェア、１００  エレベータシステム
【要約】
【課題】認証媒体を認証拒否すべき認証媒体として登録する前に他人によるその認証媒体を用いたエレベータの非正規利用を検出し、非正規利用のエレベータ運行をすることでセキュリティエリア内に侵入することを抑制するエレベータ制御装置を提供することを目的とする。
【解決手段】エレベータ利用者に関する情報を読み取る読取手段からエレベータ利用者の認証情報、当該読取手段が利用された読取時刻に関する読取時刻情報を取得する認証情報取得部と、読取時刻情報がエレベータ利用者の乗車スケジュールの範囲内の場合は正規利用と判断し、読取時刻情報が乗車スケジュールの範囲外の場合は非正規利用と判断する利用者判断部と、利用者判断部が正規利用と判断した場合は認証情報に基づいて行先階登録を行い、利用者判断部が非正規利用と判断した場合は非正規利用者を運行する特定階に関する特定階情報に基づいて行先階登録を行う運転割当部を備える。
【選択図】図１【図１】
0006977851.tif 000002
【図２】
0006977851.tif 000003
【図３】
0006977851.tif 000004
【図４】
0006977851.tif 000005
【図５】
0006977851.tif 000006
【図６】
0006977851.tif 000007
【図７】
0006977851.tif 000008
【図８】
0006977851.tif 000009
【図９】
0006977851.tif 000010
【図１０】
0006977851.tif 000011
【図１１】
0006977851.tif 000012
【図１２】
0006977851.tif 000013
【図１３】
0006977851.tif 000014